(57)【要約】      （修正有）【課題】暗所やメータが複数個使用される環境、あるいは騒音が激しい環境でも、計測値がどの程度の値を示しているかを容易に目視確認することができるデジタルマルチメータを提供する。【解決手段】ＣＰＵ１３に、あらかじめ計測値に関し３つの基準値を設定しておく。このＣＰＵ１３は、入力部１０で入力される計測値に応じて、ＬＥＤ６Ｒ、６ＧのＬＥＤ駆動回路１５Ｒ、１５Ｇのうちから少なくとも一つを選択して、ＬＥＤ６Ｒ、６Ｇのうちの少なくとも一つに電流を流して駆動して点灯させる。これにより、ＬＣＤ表示部３を、計測値に比例して段階的に異なる表示色で照明する。【選択図】図１
0003172314.tif 000002
【実用新案登録請求の範囲】
【請求項１】
電気量の計測値をデジタル表示する液晶表示部と、その液晶表示部を照明する複数の発光素子と、その発光素子を点灯制御する制御回路とを備えたデジタルマルチメータであって、
前記制御回路は、前記発光素子を点灯制御することにより、前記液晶表示部を計測値に応じて異なる表示色で照明することを特徴とするデジタルマルチメータ。
【請求項２】
前記制御回路は、複数の発光素子を選択的に点灯信号で駆動することにより、前記液晶表示部を計測値に比例して段階的に異なる表示色で照明することを特徴とする請求項１に記載のデジタルマルチメータ。
【請求項３】
前記制御回路は、複数の発光素子を選択的に調光信号で駆動することにより、液晶表示部を計測値に比例して連続的に異なる表示色で照明することを特徴とする請求項１に記載のデジタルマルチメータ。
【考案の詳細な説明】
【技術分野】
【０００１】
本考案は、電流、電圧、高調波などの電気量を計測するデジタルマルチメータに関するものである。
【背景技術】
【０００２】
デジタルマルチメータ（以下メータとする）は、電流、電圧、高調波などの電気量を計測し、この計測値を表示部にデジタル表示させることにより、メータの周囲の者が計測値を目視確認できるものである。この計測値により計測対象物の異常を発見し、対処する。デジタルマルチメータには、持ち運びが容易であるテスタ型のもの、あるいは、計測対象物付近に固定配置されるパネル埋め込み型のものなどが知られている。
【０００３】
図５に従来のデジタルマルチメータの一つであるテスタ型のデジタルマルチメータを示す。このメータ１００は液晶（ＬＣＤ）表示部１０１を有し、このＬＣＤ表示部１０１には、電気量の計測値がデジタル表示される。
【０００４】
また、このメータ１００は、あらかじめ基準値を設定しておくことで、計測値が基準値より大きい場合は「Ｈｉ」の文字が、計測値が基準値より小さい場合は「Ｌｏ」の文字が計測値と共にＬＣＤ表示部１０１に表示される。図５においては、ＬＣＤ表示部１０１に「Ｈｉ」の文字が表示されているため、計測値が基準値よりも大きいことを示している。なお、ＬＣＤ表示部１０１の「Ｈｉ」の文字の下部には、計測値がバーグラフ１０２で表示されている。
【０００５】
また、このメータ１００は、計測値があらかじめ設定した基準値より大きい場合か、もしくは小さい場合に、ブザーが鳴るように設定することもできる。図５でＬＣＤ表示部１０１の「ＣＯＭＰ」（ＣＯＭＰは「比較」という単語の英語訳である「comparison」の略）の文字の下部に表示された文字と音符マークは、計測値が基準値よりも大きい場合か、もしくは小さい場合のどちらかの場合にブザーが鳴るように設定されていることを示している。この図５においては、ＬＣＤ表示部１０１の「ＣＯＭＰ」の文字の下部には「Ｌ」の文字と音符マークが表示されているため、ブザーは、計測値が基準値よりも小さい場合に鳴るように設定されていることを示している。従って、図５に示した場合には、ＬＣＤ表示部１０１に「Ｈｉ」の文字が表示されているためブザーは鳴らない。なお、計測値が基準値よりも大きい場合にブザーがなるように設定されている場合は、「ＣＯＭＰ」の文字の下部には「Ｈ」の文字と音符マークが表示され、ブザー音設定がされていない場合は、「ＣＯＭＰ」の文字の下部には、文字と音符マークは表示されない（特許文献１参照）。このようなデジタルマルチメータには、暗所においてもＬＣＤ表示部１０１に表示された計測値を目視確認できるように、ＬＣＤ表示部１０１を照明するもの（例えばバックライト）を具備したものが知られている。
【特許文献１】特開平５−６０７９７号公報
【考案の開示】
【考案が解決しようとする課題】
【０００６】
さて、図５に示す特許文献１に記載のメータ１００のＬＣＤ表示部１０１は、メータ１００に入力された電気量の計測値が、基準値よりも大きい場合と小さい場合とを文字で表示するため、メータ１００付近の者は、ＬＣＤ表示部１０１の表示文字から、計測値の状態、更に言えば、計測対象物の異常を知ることができる。また、このメータ１００は、メータに入力された電気量の計測値が、あらかじめ設定した基準値よりも大きい場合か、もしくは小さい場合のいずれかでブザーを鳴らすことで、メータ１００付近の者に、ＬＣＤ表示部１０１に表示される計測値の異常、つまり、計測対象物の異常を知らせることができる。
【０００７】
しかし、このメータ１００のＬＣＤ表示部１０１ように、入力された電気量の計測値が、あらかじめ設定した基準値よりも大きい場合と小さい場合とを文字で表示する場合、この表示文字は遠方からでは目視が困難である。また、メータ１００に入力された電気量の計測値が、基準値よりも大きい場合か、もしくは小さい場合のいずれかでブザーを鳴らすため、メータ１００が周囲の騒音の激しい環境で使用される場合、騒音によりブザー音が掻き消されてしまう問題がある。
【０００８】
さらに、図５に示すようなメータ１００のＬＣＤ表示部１０１は、入力される計測値が基準値よりも大きい場合と小さい場合とを文字等で知らせる。そのため、工場の監視室など、メータが複数個使用される環境では、計測値の目視確認に時間がかかり、計測対象物の異常を発見するのが遅れてしまう可能性が考えられた。
【０００９】
本考案は、上記の事情に鑑みてなされたものであり、暗所やメータが複数個使用される環境、あるいは騒音が激しい環境でも、ＬＣＤ表示部に表示されている計測値の状態を容易に目視確認することができるデジタルマルチメータを提供することを目的とする。
【課題を解決するための手段】
【００１０】
上記の課題を解決するための本考案のデジタルマルチメータは、電気量の計測値をデジタル表示する液晶表示部と、その液晶表示部を照明する複数の発光素子と、その発光素子を点灯制御する制御回路とを備えたデジタルマルチメータであり、前記制御回路は、前記発光素子を点灯制御することにより、前記液晶表示部を計測値に応じて異なる表示色で照明することを特徴とする。ここでいう「電気量」とは、電流、電圧、力率、電力、電力量、デマンド電力、周波数、高調波などを意味する。
【００１１】
上記において、発光素子としては周知のものが使用でき、例えば、発光ダイオード（ＬＥＤ）を使用することができる。
【００１２】
本考案では、メータであらかじめ基準値（設定値や定格値等を意味する）を設定する。この基準値を、ＬＣＤ表示部を照明する表示色を決定する基準とする。制御回路は、計測値に応じて発光素子を点灯制御し、液晶（ＬＣＤ）表示部を異なる表示色で照明する（バックライト）。なお、「計測値に応じて異なる表示色でＬＣＤ表示部を照明する」とは、制御回路が、メータに入力される計測値が、設定した基準値で区分された領域のどの領域に属するかで、ＬＣＤ表示部を照明する表示色を異ならせることを意味する。これは、計測値に比例して段階的にＬＣＤ表示部を照明する表示色を異ならせる場合、あるいは、計測値に比例して連続的にＬＣＤ表示部を照明する表示色を異ならせる場合のどちらの場合も含む。
【００１３】
このように、制御回路は、発光素子を点灯制御し、計測値に応じて異なる表示色でＬＣＤ表示部を照明するため、異なる表示色のうち、ＬＣＤ表示部の表示色が何色であるかを判別することにより、ＬＣＤ表示部に表示されている計測値の状態を容易に目視確認することができる。
【００１４】
制御回路に、発光素子を点灯制御することで、ＬＣＤ表示部を計測値に応じて異なる表示色で照明させる手段の一つとしては、制御回路が、複数の発光素子を選択的に点灯信号で駆動して、計測値に比例して段階的に異なる表示色でＬＣＤ表示を照明することにより達成することができる。
【００１５】
ここで、「複数の発光素子を選択的に点灯信号で駆動する」とは、制御回路が、計測値に比例して、複数の発光素子の中から少なくとも一つを選択して、点灯信号で点灯させることを意味する。
【００１６】
また、「計測値に比例して段階的に異なる表示色でＬＣＤ表示を照明する」とは、制御回路が、計測値が基準値に達するごとに、点灯信号で駆動する発光素子の組合せ（駆動する発光素子が一つの場合も含む）を変更して、ＬＣＤ表示部を照明する表示色を変化させることを意味する。この場合、基準値間で計測値が変化しても、制御回路は点灯信号で駆動する発光素子を変更しないため、ＬＣＤ表示部を照明する表示色は変化しない。
【００１７】
なお、点灯信号としては、例えば、発光素子に電流を流して点灯させる信号がある。
【００１８】
制御回路が点灯信号により駆動する発光素子が複数である場合、ＬＣＤ表示部を、制御回路が点灯信号により駆動した発光素子の表示色の混合色で照明する。例を挙げると、制御回路が点灯信号により駆動する発光素子が赤色と緑色である場合、ＬＣＤ表示部を照明する表示色は、赤色と緑色の混合色である橙色となる。
【００１９】
本考案では、制御回路は、計測値が制御回路に設定した基準値に達するごとに、駆動する発光素子の組合せを変更することで、ＬＣＤ表示部を照明する表示色を変化させる。そのため、ＬＣＤ表示部の表示色が何色であるかを判別することにより、ＬＣＤ表示部に表示されている計測値の状態を容易に目視確認することができる。この結果、計測している計測対象物の異常を早期に発見して対処することができる。
【００２０】
なお、本考案において、制御回路にどの発光素子も点灯信号で駆動させない場合、ＬＣＤ表示部は照明されない。
【００２１】
制御回路に、発光素子を点灯制御することで、ＬＣＤ表示部を計測値に応じて異なる表示色で照明させる別の手段としては、制御回路が、複数の発光素子を選択的に調光信号で駆動して、計測値に比例して連続的に異なる表示色でＬＣＤ表示を照明することにより達成することができる。
【００２２】
ここで「複数の発光素子を選択的に調光信号で駆動する」とは、制御回路が、計測値に比例して複数の発光素子の中から一つ又はそれ以上を選択して調光信号で駆動することにより、トーン（色の調子）を調節して点灯させることを意味する。
【００２３】
また、「計測値に比例して連続的に異なる表示色でＬＣＤ表示を照明する」とは、制御回路が、計測値が制御回路に設定した基準値に達するごとに、調光信号で駆動する発光素子の組合せ（駆動する発光素子が一つの場合も含む）を変更し、かつ、計測値の変化と共に、発光素子を調光信号でトーンを調整して駆動することにより、ＬＣＤ表示部を照明する表示色をグラデーションさせることを意味する。この場合、基準値間でも、計測値の変化と共にＬＣＤ表示部を照明する表示色が変化する。
【００２４】
なお、調光信号としては、発光素子に流す電流の大きさを変化させる信号（電流可変信号）がある。この信号により、発光素子に流す電流の大きさを変化させ、トーンを調節して点灯させることができる。
【００２５】
制御回路が調光信号により駆動する発光素子が複数である場合、制御回路は、ＬＣＤ表示部を、多彩な表示色をグラデーションさせて照明することができる。例えば、制御回路は、調光信号により青色と緑色と赤色の発光素子を駆動して、これらの発光素子をトーン調節して点灯させることで、ＬＣＤ表示部を照明する表示色を、緑色から黄色そして橙色、あるいは、緑青色から水色そして青色というようにグラデーションさせることができる。
【００２６】
本考案では、制御回路は、計測値が制御回路に設定した基準値に達するごとに、調光信号で駆動する発光素子の組合せを変更し、かつ、計測値の変化と共に、発光素子を調光信号でトーンを調整して駆動することで、ＬＣＤ表示部を、計測値の変化と共に異なる表示色をグラデーションさせて照明する。そのため、ＬＣＤ表示部の表示色が何色であるかを判別することにより、ＬＣＤ表示部に表示されている計測値の状態を容易に目視確認することができる。この結果、計測している計測対象物の異常を早期に発見して対処することができる。また、ＬＣＤ表示部を照明する表示色のグラデーションの速さで計測値の変化の速さを目視確認できるため、計測している計測対象物の異常を早期に発見、あるいは予測をして、対処あるいは予防をすることもできる。
【００２７】
また、本考案においても、制御回路にどの発光素子も調光信号で駆動させない場合、ＬＣＤ表示部は照明されない。
【考案の効果】
【００２８】
本考案のデジタルマルチメータは、制御回路は、計測値に応じて発光素子を点灯制御することにより、ＬＣＤ表示部を計測値に応じて異なる表示色で照明する。そのため、異なる表示色のうち、ＬＣＤ表示部の表示色が何色であるかを判別することにより、ＬＣＤ表示部に表示されている計測値の状態を、暗所やメータが複数使用される環境、あるいは騒音が激しい環境などにおいても、容易に目視確認することができる。この結果、計測している計測対象物の異常を早期に知り、対処することができる。
【考案を実施するための最良の形態】
【００２９】
以下に本考案の実施の形態について、添付図面を参照して説明する。
【００３０】
図２に本考案の第１の実施形態を示す。なお、図２（Ａ）は電気量を計測するデジタルマルチメータ（パネル埋め込み型）の正面図を、図２（Ｂ）は図２（Ａ）を図面上部側から見た正面図を示しており、Ｒは赤色を、Ｇは緑色を示している。
【００３１】
図２（Ａ）に示すデジタルマルチメータ１は、図２（Ｂ）に示すように導光板２、液晶（ＬＣＤ）表示部３、コントロール基板４、二つの発光素子６（６Ｒ、６Ｇ）からなる。ＬＣＤ表示部３とコントロール基板４は対向して配置されており、ＬＣＤ表示部３とコントロール基板４との間には導光板２が狭持されている。この導光板２は、発光素子６の表示色を拡散させてＬＣＤ表示部３を照明する機能を果たし、この導光板２のＬＣＤ表示部２やコントロール基板４と対向しない面には複数の足部７が嵌着されている。コントロール基板４は、ＬＣＤ表示部３側の面の一端側にＬＣＤ表示部３のコントロール基板４側の面に当接する発光素子（ＬＥＤ）基板部５を有し、このＬＥＤ基板部５には、導光板２のＬＣＤ表示部３側やコンロトール基板４側の面とは異なる側面に嵌合する発光素子６（６Ｒ、６Ｇ）を有する。なお、本実施形態では、発光素子６（６Ｒ、６Ｇ）としては、発光ダイオード（ＬＥＤ）を使用するため、以下では発光素子をＬＥＤと略して記載する。また、図２（Ｂ）では、図を見やすくするために、図２（Ａ）中の足部７を省略している。
【００３２】
さて、本実施形態では、ＬＥＤ６（６Ｒ、６Ｇ）により、ＬＣＤ表示部３を三色（赤色、緑色、橙色）の異なる表示色で照明することができる（三色発光方式）。これについて以下に詳述する。
【００３３】
ＬＣＤ表示部３の照明は、コントロール基板４に組み込んだ制御回路がＬＥＤ６（６Ｒ、６Ｇ）を点灯制御することによりなされるが、この点灯制御は、制御回路が、計測値に比例してＬＥＤ６（６Ｒ、６Ｇ）を選択的に点灯信号で駆動することによりなされる。ここで、「ＬＥＤを選択的に点灯信号で駆動する」とは、制御回路が、計測値に比例して２つのＬＥＤ６（６Ｒ、６Ｇ）のうちから少なくとも一つを選択して点灯信号で駆動し、点灯させることを意味する。これについて図１を用いて説明する。
【００３４】
この図１は、ＬＣＤ表示部３を照明するための回路図を示したものであり、この回路図は、電気量の計測値が入力される入力部１０、アンプ１１、アナログ・デジタル変換部（Ａ／Ｄ変換部）１２、制御回路（ＣＰＵ）１３、ＬＥＤ駆動回路１５（１５Ｒ、１５Ｇ）で構成されている。
【００３５】
まず、電気量の計測値の信号が入力部１０で入力され、その入力した信号をアンプ１１で増幅する。このアンプ１１で増幅した電気量の計測値の信号はアナログ情報であるため、Ａ／Ｄ変換部１２でデジタル情報に変換し、ＣＰＵ１３に伝達する。
【００３６】
ここで、ＣＰＵ１３に伝達された電気量の計測値の信号は、ＣＰＵ１３が、ＬＣＤコントローラ１４を駆動することで、ＬＣＤ表示部３に伝達されるため、電気量の計測値がＬＣＤ表示部３にデジタル表示される。
【００３７】
これと同時に、ＣＰＵ１３は、入力部１０で入力された計測値の信号（以下計測値とする）に比例して、ＬＥＤ６（６Ｒ、６Ｇ）のＬＥＤ駆動回路１５（１５Ｒ、１５Ｇ）のうちから少なくとも一つを選択して点灯信号１６（１６Ｒ、１６Ｇ）で駆動することにより、ＬＥＤ６（６Ｒ、６Ｇ）のうち少なくとも一つを点灯させる。点灯信号１６（１６Ｒ、１６Ｇ）は、ＬＥＤ駆動回路１５（１５Ｒ、１５Ｇ）に対して、ＬＥＤ６（６Ｒ、６Ｇ）へ電流を流して点灯させるように指令する信号であり、この信号によりＬＥＤ駆動回路１５（１５Ｒ、１５Ｇ）が駆動して、ＬＥＤ６（６Ｒ、６Ｇ）へ電流が流れて点灯する。なお、ＣＰＵ１３にどのＬＥＤ６（６Ｒ、６Ｇ）も点灯信号１６（１６Ｒ、１６Ｇ）で駆動させない場合、ＬＣＤ表示部３は照明されない。
【００３８】
本実施形態では、あらかじめＣＰＵ１３に値の小さいほうから基準値Ａ、基準値Ｂ、基準値Ｃの３つの基準値を設定しておく。ここでいう「基準値」とは、設定値や定格値等を意味する。ＣＰＵ１３は、ＬＣＤ表示部３を、入力部１０で入力された計測値が基準値Ａより小さい場合は緑色（正常色）で、基準値Ａ以上基準値Ｂ未満の場合は橙色（注意色）で、基準値Ｂ以上基準値Ｃ未満の場合は赤色（警報色）で、基準値Ｃ以上の場合は赤色（警報色）の点滅（警告フリッカー）で照明する。以下に、上記のそれぞれの場合について説明する。
【００３９】
入力部１０で入力される計測値が基準値Ａ未満の場合、ＣＰＵ１３は、ＬＥＤ６Ｇを選択し、緑色点灯信号１６ＧでＬＥＤ６ＧのＬＥＤ駆動回路１５Ｇを駆動することによりＬＥＤ６Ｇを点灯させて、図２（Ｂ）に示した導光板２を介してＬＣＤ表示部３を緑色（正常色）で照明する。
【００４０】
入力部１０で入力される計測値が基準値Ａ以上基準値Ｂ未満の場合、ＣＰＵ１３は、ＬＥＤ６（６Ｇ、６Ｒ）の両方を選択し、緑色点灯信号１６Ｇと赤色点灯信号１６ＲでＬＥＤ６（６Ｇ、６Ｒ）のそれぞれのＬＥＤ駆動回路１５（１５Ｇ、１５Ｒ）の両方を駆動することにより、ＬＥＤ６（６Ｇ、６Ｒ）の両方を点灯させて、図２（Ｂ）に示した導光板２を介してＬＣＤ表示部３を緑色と赤色の中間色である橙色（注意色）で照明する。
【００４１】
入力部１０で入力される計測値が基準値Ｂ以上基準値Ｃ未満の場合、ＣＰＵ１３は、ＬＥＤ６Ｒを選択し、赤色点灯信号１６ＲでＬＥＤ駆動回路１５Ｒを駆動することにより、ＬＥＤ６Ｒを点灯させ、図２（Ｂ）に示した導光板２を介してＬＣＤ表示部３を警報色（赤色）で照明する。
【００４２】
入力部１０で入力される計測値が基準値Ｃ以上の場合、ＣＰＵ１３は、ＬＥＤ６Ｒを選択し、赤色点灯信号１６Ｒを断続させてＬＥＤ駆動回路１５Ｒを断続して駆動することにより、ＬＥＤ６Ｒを点滅させ、図２（Ｂ）に示した導光板２を介してＬＣＤ表示部３を赤色（警報色）のフリッカー（警告フリッカー）で照明する。
【００４３】
このように、本実施形態では、ＣＰＵ１３は、計測値がＣＰＵ１３に設定した基準値に達するごとに、選択するＬＥＤ６（６Ｇ、６Ｒ）の組合せ（駆動するＬＥＤが一つの場合も含む）を変更して駆動し、ＬＣＤ表示部３を、計測値に比例して段階的に緑色（正常色）、橙色（注意色）、赤色（警報色）、赤色の点滅（警告フリッカー）の異なる表示色で照明する。このため、ＬＣＤ表示部３の表示色が何色であるかを判別することにより、ＬＣＤ表示部３に表示されている計測値の状態を容易に目視確認できるため、計測している計測対象物の異常を早期に知り、対処することができる。
【００４４】
図４に本考案の第２の実施形態を示す。図４（Ａ）は、電気量を計測するデジタルマルチメータ（パネル埋め込み型）の正面図、図４（Ｂ）は図４（Ａ）を図面上部側から見た正面図である。なお、本実施形態では、図１および図２に示す第１の実施形態を同じ部位、機能、形態を有する部品や部位については同じ符号を付し、その詳細な説明を省略する。
【００４５】
本実施形態では、図２に示すＬＥＤ６（６Ｇ、６Ｒ）と同様にして、図４（Ｂ）に示すように、コントロール基板４のＬＥＤ基板部５に、導光板２に嵌合させる青色発光素子（ＬＥＤ）６Ｂを取り付ける。
【００４６】
さて、本実施形態では、発光素子として３つのＬＥＤ６（６Ｒ、６Ｇ、６Ｂ）を使用するため、ＬＣＤ表示部３を多彩な表示色で照明することができる（フルカラー発光方式）。これについて以下に詳述する。
【００４７】
ＬＥＤ表示部３の照明は、コントロール基板４に組み込んだ制御回路が、入力される計測値に比例して、ＬＥＤ６（６Ｒ、６Ｇ、６Ｂ）を選択的に調光信号で駆動することにより行う。ここで、「ＬＥＤを選択的に調光信号で駆動する」とは、制御回路が、計測値に比例して複数のＬＥＤ６（６Ｒ、６Ｇ、６Ｂ）の中から１つ又はそれ以上を選択して調光信号で駆動することにより、トーンを調節して点灯させることを意味する。これについて図３を用いて説明する。なお、この図３において、Ｒは赤色、Ｇは緑色、Ｂは青色を意味するものとする。
【００４８】
この図３は、ＬＣＤ表示部３を照明するための回路図を示したものである。この回路図は、図１の回路図と同様、計測された電気量の計測値の信号が入力される入力部１０、アンプ１１、アナログ・デジタル変換部（Ａ／Ｄ変換部）１２、制御回路であるＣＰＵ１３、ＬＥＤ駆動回路１５（１５Ｒ、１５Ｇ、１５Ｂ）で構成されている。
【００４９】
まず、電気量の計測値の信号を入力部１０で計測し、この計測値の信号をアンプ１１で増幅する。アンプ１１で増幅した計測値の信号はアナログ情報であるため、Ａ／Ｄ変換部１２でデジタル情報に変換し、ＣＰＵ１３に伝達する。
【００５０】
ここで、ＣＰＵ１３に伝達された電気量の計測値の信号は、ＣＰＵ１３が、ＬＣＤコントローラ１４を駆動することで、ＬＣＤ表示部３に伝達されるため、電気量の計測値がＬＣＤ表示部３にデジタル表示される。
【００５１】
これと同時に、ＣＰＵ１３は、入力部１０で入力された計測値に応じて、ＬＥＤ６（６Ｒ、６Ｇ、６Ｂ）のＬＥＤ駆動回路１５（１５Ｒ、１５Ｇ、１５Ｂ）のうちから一つ又はそれ以上を選択して、調光信号１７（１７Ｒ、１７Ｇ、１７Ｂ）で駆動することにより、ＬＥＤ６（６Ｒ、６Ｇ、６Ｂ）を、トーンを調節して点灯させる。なお、ＣＰＵ１３にどのＬＥＤ６（６Ｒ、６Ｇ、６Ｂ）も調光信号１７（１７Ｒ、１７Ｇ、１７Ｂ）で駆動させない場合、ＬＣＤ表示部３は照明されない。
【００５２】
調光信号１７（１７Ｒ、１７Ｇ、１７Ｂ）は、ＬＥＤ駆動回路１５（１５Ｒ、１５Ｇ、１５Ｂ）に対して、ＬＥＤ６（６Ｒ、６Ｇ、６Ｂ）に流す電流量を変化させるように指令する信号（電流可変信号）である。この電流可変信号がＬＥＤ６（６Ｒ、６Ｇ、６Ｂ）に流れる電流量を調節するため、ＬＥＤ６（６Ｒ、６Ｇ、６Ｂ）を、トーンを調節して点灯させることができる。
【００５３】
本実施形態においても、あらかじめＣＰＵ１３に値の小さいほうから基準値Ａ、基準値Ｂ、基準値Ｃの３つの基準値を設定しておく。ここでいう「基準値」とは、第１の実施形態と同様、設定値や定格値等を意味する。ＣＰＵ１３は、ＬＣＤ表示部３を、入力部１０で入力された計測値が基準値Ａ以下の場合は青色（警報色α）、基準値Ｂの場合は緑色（正常色）、基準値Ｃ以上の場合は赤色（警報色β）の表示色でＬＣＤ表示部を照明する。また、ＣＰＵ１３は、各基準値間において、ＬＣＤ表示部３を照明する表示色をグラデーションさせる。これらについて以下に詳述する。
【００５４】
入力部１０で入力される計測値が基準値Ａ以下の場合、ＣＰＵ１３はＬＥＤ６Ｂを選択し、青色調光信号１７ＢでＬＥＤ駆動回路１５Ｂを１００％の出力で駆動することにより、ＬＥＤ６Ｂを１００％の出力で点灯させ、図４（Ｂ）に示した導光板２を介してＬＣＤ表示部３を青色（警報色α）で照明する。
【００５５】
入力部１０で入力される計測値が基準値Ａ以上基準値Ｂ以下の場合、ＣＰＵ１３は、ＬＥＤ６ＢとＬＥＤ６Ｇの両方を選択し、青色調光信号１７Ｂと緑色調光信号１７ＧでＬＥＤ駆動回路１５（１５Ｂ、１５Ｇ）の両方を駆動する。ここで、入力部１０で入力される計測値が基準値Ａから基準値Ｂに向けて高くなるにつれ、ＣＰＵ１３は、青色調光信号１７Ｂの出力を１００％から漸減させて、ＬＥＤ６Ｂの表示色を徐々に薄くし、青色調光信号１７Ｂの出力の漸減率と同率で緑色調光信号１７Ｇの出力を０％から漸増させて、ＬＥＤ６Ｇの表示色を徐々に濃くする。これにより、ＣＰＵ１３は、ＬＣＤ表示部３を照明する表示色を、青色（警報色α）、水色、青緑色（注意色α）、緑色（正常色）とグラデーションさせる。なお、ＬＣＤ表示部３を照明する表示色が緑色である場合は、青色調光信号１７Ｂの出力は０％、緑色調光信号１７Ｇの出力は１００％である。
【００５６】
入力部１０で入力される計測値が基準値Ｂ以上基準値Ｃ以下の場合、ＣＰＵ１３は、ＬＥＤ６ＧとＬＥＤ６Ｒの両方を選択し、緑色調光信号１７Ｇと赤色調光信号１７ＲでＬＥＤ駆動回路１５（１５Ｇ、１５Ｒ）の両方を駆動する。ここで、入力部１０で入力される計測値が基準値Ｂから基準値Ｃに向けて高くなるにつれ、ＣＰＵ１３は、緑色調光信号１７Ｇの出力を１００％から漸減させて、ＬＥＤ６Ｇの表示色を徐々に薄くし、緑色調光信号１７Ｇの出力の漸減率と同率で赤色調光信号１７Ｒの出力を０％から漸増させて、ＬＥＤ６Ｒの表示色を徐々に濃くする。これにより、ＣＰＵ１３は、ＬＣＤ表示部３を照明する表示色を、緑色（正常色）、黄色、橙色（注意色β）、赤色（警報色β）とグラデーションさせる。なお、ＬＣＤ表示部３の照明の表示色が橙色である場合は、緑色調光信号１７Ｇの出力は５０％、赤色調光信号１７Ｒの出力は５０％である。また、ＬＣＤ表示部３の照明の表示色が赤色である場合は、緑色調光信号１７Ｇの出力は０％、赤色調光信号１７Ｒの出力は１００％である。
【００５７】
入力部１０で入力される計測値が基準値Ｃ以上の場合、ＣＰＵ１３はＬＥＤ６Ｒを選択し、赤色調光信号１７ＲでＬＥＤ駆動回路１５Ｒを１００％の出力で駆動することにより、ＬＥＤ６Ｒを１００％の出力で点灯させ、図４（Ｂ）に示した導光板２を介してＬＣＤ表示部３を赤色（警報色β）で照明する。
【００５８】
このように、本実施形態では、ＣＰＵ１３は、計測値がＣＰＵ１３に設定した基準値に達するごとに、調光信号１７（１７Ｒ、１７Ｇ、１７Ｂ）で駆動するＬＥＤ６（６Ｒ、６Ｇ、６Ｂ）の組合せ（駆動するＬＥＤが一つの場合も含む）を変更し、かつ、計測値の変化と共に、ＬＥＤ６（６Ｒ、６Ｇ、６Ｂ）を調光信号１７（１７Ｒ、１７Ｇ、１７Ｂ）でトーンを調整して駆動することにより、ＬＣＤ表示部３を、計測値の変化と共に異なる表示色をグラデーションさせて照明する。そのため、ＬＣＤ表示部３の表示色が何色であるかを判別することにより、ＬＣＤ表示部３に表示されている計測値の状態を容易に目視確認することができる。この結果、計測している計測対象物の異常を早期に発見して対処することができる。また、ＬＣＤ表示部３を照明する表示色のグラデーションの速さで計測値の変化の速さを目視確認できるため、計測している計測対象物の異常を早期に発見、あるいは予測をして、対処あるいは予防をすることもできる。
【００５９】
なお、本実施形態では３つのＬＥＤ６（６Ｒ、６Ｇ、６Ｂ）を使用して、ＬＣＤ表示部３を照明する表示色を、計測値の変化に応じてグラデーションさせるが、使用するＬＥＤは、図１および図２に示す第１の実施形態のように、二つのＬＥＤ６（６Ｒ、６Ｇ）を使用する場合でも、ＬＣＤ表示部３を照明する表示色を、計測値の変化と共にグラデーションさせることができる。
【００６０】
以上、本考案の実施の形態について説明したが、本考案によれば、ＬＣＤ表示部が照明される表示色で、ＬＣＤ表示部に表示されている計測値の状態を容易に目視確認することができる。この結果、計測対象物に異常が発生しても、早期に発見あるいは予測をして、対処あるいは予防をすることができる。以上の点から、本考案は、電気業界、自動車業界や鉄道業界、あるいは航空業界など、メータが多数使用される業界の発展に大きく寄与することができる。
【００６１】
なお、ここで挙げた本考案の実施の形態は、あくまで例示であり、実用新案登録請求の範囲に記載の意味および内容の全ての事項を含む。
【００６２】
例えば、第１および第２の実施形態では発光素子として発光ダイオード（ＬＥＤ）を使用したが、これに限られることはなく、周知の発光素子を使用することができる。また、発光素子の色も、赤色、緑色、青色に限られず、白色なども使用することができる。
【００６３】
また、本考案のデジタルマルチメータにかかる、計測値に応じて照明する表示色が変化するＬＣＤ表示部は、複数個配列させることもできる。この場合、ＬＣＤ表示部を照明する表示色で、複数のＬＣＤ表示部が表示している計測値の状態を容易に、かつ、同時に目視確認することができる。この結果、複数の計測対象物の異常を、同時に、かつ、早期に知り、対処することができる。なお、複数個配列させるＬＣＤ表示部は、必ずしも同種のものである必要はない。例えば、ＬＣＤ表示部を照明する表示色がグラデーションするＬＣＤ表示部と、グラデーションしないＬＣＤ表示部とを組み合わせることができる。
【００６４】
以下に本考案を適用したデジタルマルチメータの例を挙げる。
【００６５】
（１）電流メータにおいて、入力部での計測値が定格電流を超えると注意色で、定格電流の１０％増の値を超えると警報色でＬＣＤ表示部を照明する。これにより、ＬＣＤ表示部を照明する表示色で、計測される電流の大きさの状態を容易に目視確認できるため、電流の大きさを計測している計測対象物の異常に対して早期に対処することができる。
（２）電圧メータにおいて、入力部での計測値が定格電圧を超えると注意色で、定格電圧の１０％増の値を超えると警報色でＬＣＤ表示部を照明する。これにより、ＬＣＤ表示部を照明する表示色で、計測される電圧の大きさの状態を容易に目視確認できるため、電圧の大きさを計測している計測対象物の異常に対して早期に対処することができる。
（３）力率メータにおいて、制御回路は、電流の周波の位相が電圧の位相より進んでいる場合と遅れている場合とで異なる表示色でＬＣＤ表示部を照明する。これにより、ＬＣＤ表示部を照明する表示色で、電流と電圧のどちらの位相がすすんでいるのかを容易に目視確認できるため、力率を１に近づけ、計測対象物が効率的に電力を消費できるように対処することができる。
（４）電力量計メータにおいては、売電時と買電時とで、異なる表示色でＬＣＤ表示部を照明する。なお、売電時とは、電力消費者が、自己の持家や事業場などで、ソーラー発電などにより自ら発電して、この電力を電力会社に供給（売っている）状態のことを意味する。一方、買電時とは、電力消費者が、電力会社から供給される電力を消費している（買っている）状態を意味する。売電時と買電時とでは電力量計に流れる電気の方向が変化するため、電力消費者は、ＬＣＤ表示部を照明する表示色で、電力量を計測している計測対象物が売電時か買電時かを容易に知り、節電対策を行うことができる。
（５）デマンドメータにおいては、電力消費速度が注意速度に達していれば注意色で、警報速度に達していれば警報色で、警告速度（デマンド電力が契約電力を超える電力消費速度）に達していれば警報色のフリッカー（警告フリッカー）でＬＣＤ表示部を照明する。ここで、デマンド電力とは、一定時間の電力消費量を意味する。このメータでは、ＬＣＤ表示部を照明する表示色で電力量を計測している計測対象物の電力消費量を知り、デマンド電力が契約電力を超えることの無いように電力消費量を制御することができる。
（６）周波数メータにおいては、計測対象物の使用時の周波数が、許容される定格周波数の差（±）より小さい場合と大きい場合とで、異なる表示色でＬＣＤ表示部を照明する。（７）高調波メータにおいては、基本波のｎ倍の高調波の含有率が正常範囲内の低い含有率であれば正常色で、高調波含有率がやや高ければ注意色で、高調波含有率が高ければ警報色でＬＣＤ表示部を照明する。これにより、高調波含有率を計測している計測対象物の異常に対して早期に対処することができる。
【図面の簡単な説明】
【００６６】
【図１】本考案の第１の実施形態を示し、図２に示すデジタルマルチメータ（パネル埋め込み型）のＬＣＤ表示部を照明するための回路図である。
【図２】（Ａ）は本考案の第１の実施形態を示す正面図である。（Ｂ）は（Ａ）を図中上部側から見た正面図である。
【図３】本考案の第２の実施形態を示し、図４に示すデジタルマルチメータ（パネル埋め込み型）のＬＣＤ表示部を照明するための回路図である。
【図４】（Ａ）は本考案の第２の実施形態を示す正面図である。（Ｂ）は（Ａ）を図中上部側から見た正面図である。
【図５】従来のデジタルマルチメータ（テスタ型）の部分正面図である。
【符号の説明】
【００６７】
１              デジタルマルチメータ
２              導光板
３              液晶表示部（ＬＣＤ表示部）
４              コントロール基板
５              発光素子（ＬＥＤ）基板部
６              発光素子（ＬＥＤ）
６Ｒ          赤色発光素子
６Ｇ          緑色発光素子
６Ｂ          青色発光素子
１３            制御回路（ＣＰＵ）
１６            点灯信号
１６Ｒ        赤色点灯信号
１６Ｇ        緑色点灯信号
１７            調光信号
１７Ｒ        赤色調光信号
１７Ｇ        緑色調光信号
１７Ｂ        青色調光信号
【図１】
0003172314.tif 000003
【図２】
0003172314.tif 000004
【図３】
0003172314.tif 000005
【図４】
0003172314.tif 000006
【図５】
0003172314.tif 000007